(57)【要約】【課題】本発明は、例えば写真を印刷する端末装置に適用して、メニューの表示に種々の工夫を図ることができるようにする。【解決手段】本発明は、メニューの配置を定義する情報及び又は注意を喚起する画像を表示するメニューを特定する情報を設定可能として、メニュー配置及び又は注意を喚起する画像を表示するメニューを変更可能とする。【選択図】        図１
2008015650.tif 000002
【特許請求の範囲】
【請求項１】
複数のメニューを配置したメニュー画面を表示し、前記メニューの選択を受け付ける情報処理装置の管理方法において、
前記情報処理装置は、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法は、
前記メニュー表示情報を作成するメニュー表示情報作成ステップと、
前記メニュー表示情報作成ステップで作成した前記メニュー表示情報を、前記情報記録部に記録することにより、少なくとも前記メニュー画面で表示する前記メニューの配置の順番を変更するメニュー表示情報記録ステップとを有する
ことを特徴とする情報処理装置の管理方法。
【請求項２】
前記メニュー画面は、
前記複数のメニューのうちの特定のメニューに、注意を喚起する画像が表示され、
前記メニュー表示情報は、
前記注意を喚起する画像を表示するメニューを特定する情報を有し、
前記画像データ保持部は、
前記注意を喚起する画像の画像データを保持し、
前記制御部は、
前記メニューを特定する情報に基づいて、対応するメニューに前記注意を喚起する画像を重ねて表示し、
前記メニュー表示情報記録ステップは、
前記メニュー表示情報作成ステップで作成したメニュー表示情報を、前記情報記録部に記録することにより、前記注意を喚起する画像を表示するメニューを変更する
ことを特徴とする請求項１に記載の情報処理装置の管理方法。
【請求項３】
前記メニュー表示情報作成ステップが、
遠隔地に設けられたホスト装置における処理であり、
前記メニュー表示情報記録ステップが、
通信手段を介して前記ホスト装置から前記情報端末装置に前記メニュー表示情報作成ステップで作成したメニュー表示情報を転送して実行する処理である
ことを特徴とする請求項１に記載の情報処理装置の管理方法。
【請求項４】
前記メニュー表示情報作成ステップが、
前記情報処理装置に設けられた入力手段を操作して実行される処理である
ことを特徴とする請求項１に記載の情報処理装置の管理方法。
【請求項５】
前記画像データ保持部に、前記注意を喚起する画像の画像データを記録する画像データ記録ステップを有する
ことを特徴とする請求項２に記載の情報処理装置の管理方法。
【請求項６】
複数のメニューを配置したメニュー画面を表示し、前記メニューの選択を受け付ける情報処理装置の管理方法において、
前記情報処理装置は、
前記複数のメニューのうちの特定のメニューに、注意を喚起する画像を重ねて前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法は、
前記メニュー表示情報を作成するメニュー表示情報作成ステップと、
前記メニュー表示情報作成ステップで作成した前記メニュー表示情報を、前記情報記録部に記録することにより、前記注意を喚起する画像を表示するメニューを変更するメニュー表示情報記録ステップとを有する
ことを特徴とする情報処理装置の管理方法。
【請求項７】
前記メニュー表示情報作成ステップが、
遠隔地に設けられたホスト装置における処理であり、
前記メニュー表示情報記録ステップが、
通信手段を介して前記ホスト装置から前記情報端末装置に前記メニュー表示情報作成ステップで作成したメニュー表示情報を転送して実行する処理である
ことを特徴とする請求項６に記載の情報処理装置の管理方法。
【請求項８】
前記メニュー表示情報作成ステップが、
前記情報処理装置に設けられた入力手段を操作して実行される処理である
ことを特徴とする請求項６に記載の情報処理装置の管理方法。
【請求項９】
前記画像データ保持部に、
前記注意を喚起する画像の画像データを記録する画像データ記録ステップを有する
ことを特徴とする請求項５に記載の情報処理装置の管理方法。
【請求項１０】
複数のメニューを配置したメニュー画面を表示し、前記メニューの選択を受け付ける情報処理装置の管理方法のプログラムにおいて、
前記情報処理装置は、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法のプログラムは、
前記メニュー表示情報を作成するメニュー表示情報作成ステップと、
前記メニュー表示情報作成ステップで作成した前記メニュー表示情報を、前記情報記録部に記録することにより、少なくとも前記メニュー画面で表示する前記メニューの配置の順番を設定するメニュー表示情報記録ステップとを有する
ことを特徴とする情報処理装置の管理方法のプログラム。
【請求項１１】
複数のメニューを配置したメニュー画面を表示し、前記メニューの選択を受け付ける情報処理装置の管理方法のプログラムにおいて、
前記情報処理装置は、
前記複数のメニューのうちの特定のメニューに、注意を喚起する画像を重ねて前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法のプログラムは、
前記メニュー表示情報を作成するメニュー表示情報作成ステップと、
前記メニュー表示情報作成ステップで作成した前記メニュー表示情報を、前記情報記録部に記録することにより、前記注意を喚起する画像を表示するメニューを変更するメニュー表示情報記録ステップとを有する
ことを特徴とする情報処理装置の管理方法のプログラム。
【請求項１２】
複数のメニューを配置したメニュー画面を表示し、前記メニューの選択を受け付ける情報処理装置の管理方法のプログラムを記録した記録媒体において、
前記情報処理装置は、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法のプログラムは、
前記メニュー表示情報を作成するメニュー表示情報作成ステップと、
前記メニュー表示情報作成ステップで作成した前記メニュー表示情報を、前記情報記録部に記録することにより、少なくとも前記メニュー画面で表示する前記メニューの配置の順番を変更するメニュー表示情報記録ステップとを有する
ことを特徴とする情報処理装置の管理方法のプログラムを記録した記録媒体。
【請求項１３】
複数のメニューを配置したメニュー画面を表示し、前記メニューの選択を受け付ける情報処理装置の管理方法のプログラムを記録した記録媒体において、
前記情報処理装置は、
前記複数のメニューのうちの特定のメニューに、注意を喚起する画像を重ねて、前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法のプログラムは、
前記メニュー表示情報を作成するメニュー表示情報作成ステップと、
前記メニュー表示情報作成ステップで作成した前記メニュー表示情報を、前記情報記録部に記録することにより、前記注意を喚起する画像を表示するメニューを変更するメニュー表示情報記録ステップとを有する
ことを特徴とする情報処理装置の管理方法のプログラムを記録した記録媒体。
【請求項１４】
複数のメニューを配置したメニュー画面を表示し、前記メニューの選択を受け付ける情報処理装置において、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部と、
前記メニュー表示情報を作成するメニュー表示情報作成部と、
前記メニュー表示情報作成部で作成した前記メニュー表示情報を、前記情報記録部に記録することにより、少なくとも前記メニュー画面で表示する前記メニューの配置の順番を変更するメニュー表示情報記録部とを有する
ことを特徴とする情報処理装置。
【請求項１５】
複数のメニューを配置したメニュー画面を表示し、前記メニューの選択を受け付ける情報処理装置において、
前記複数のメニューのうちの特定のメニューに、注意を喚起する画像を重ねて、前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部と、
前記メニュー表示情報を作成するメニュー表示情報作成部と、
前記メニュー表示情報作成部で作成した前記メニュー表示情報を、前記情報記録部に記録することにより、前記注意を喚起する画像を表示するメニューを変更するメニュー表示情報記録部とを有する
ことを特徴とする情報処理装置。
【請求項１６】
ホスト装置で端末装置を管理し、前記端末装置で複数のメニューを配置したメニュー画面を表示し、前記メニューの選択を受け付ける情報処理システムにおいて、
前記端末装置は、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記ホスト装置は、
前記メニュー表示情報を作成するメニュー表示情報作成部と、
通信手段を介して、前記メニュー表示情報作成部で作成した前記メニュー表示情報を、前記端末装置の前記情報記録部に記録することにより、少なくとも前記メニュー画面で表示する前記メニューの配置の順番を変更するメニュー表示情報記録部とを有する
ことを特徴とする情報処理システム。
【請求項１７】
ホスト装置で端末装置を管理し、前記端末装置で複数のメニューを配置したメニュー画面を表示し、前記メニューの選択を受け付ける情報処理システムにおいて、
前記端末装置は、
前記複数のメニューのうちの特定のメニューに、注意を喚起する画像を重ねて前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記ホスト装置は、
前記メニュー表示情報を作成するメニュー表示情報作成部と、
通信手段を介して、前記メニュー表示情報作成部で作成した前記メニュー表示情報を、前記情報記録部に記録することにより、前記注意を喚起する画像を表示するメニューを変更するメニュー表示情報記録部とを有する
ことを特徴とする情報処理システム。
【発明の詳細な説明】
【技術分野】
【０００１】
本発明は、情報処理装置の管理方法、情報処理装置の管理方法のプログラム、情報処理装置の管理方法のプログラムを記録した記録媒体、情報処理装置及び情報処理システムに関し、例えば写真を印刷する端末装置に適用することができる。本発明は、メニューの配置を定義する情報及び又は注意を喚起する画像を表示するメニューを特定する情報を設定可能として、メニューの配置及び又は注意を喚起する画像を表示するメニューを変更可能とすることにより、メニューの表示に種々の工夫を図ることができるようにする。
【背景技術】
【０００２】
近年、大型のＤＰＥ店、コンビニエンスストアー等には、電子スチルカメラで撮影した写真を印刷する端末装置が設置されている。この端末装置は、ユーザー自身が操作して写真を印刷する装置であり、撮像結果を記録したメモリカード等の記録媒体を装着すると、各種のメニューが表示され、このメニューの選択により、例えばこの記録媒体に記録された撮像結果がサムネイル画像等により一覧表示される。またこの一覧表示において、各撮像結果の印刷枚数等を設定して印刷を指示すると、設定された枚数、大きさで写真を印刷する。
【０００３】
このような端末装置に関して、例えば特開２００５−３４２９６７号公報には、解像度を判定する機能を設け、高品質の写真を選択的に印刷する構成が開示されている。
【０００４】
ところでこのような端末装置が設置される店舗では、ユーザーの購買意欲を増進する等のために、商品展示に種々に工夫が図られている。
【０００５】
写真を印刷する端末装置でも、同様に、商品の展示に相当するユーザーが操作するメニューの表示に種々に工夫を図ることができれば、この種の端末装置の使い勝手を一段と向上することができると考えられる。
【特許文献１】特開２００５−３４２９６７号公報
【発明の開示】
【発明が解決しようとする課題】
【０００６】
本発明は以上の点を考慮してなされたもので、メニューの表示に種々の工夫を図ることができる情報処理装置の管理方法、情報処理装置の管理方法のプログラム、情報処理装置の管理方法のプログラムを記録した記録媒体、情報処理装置及び情報処理システムを提案しようとするものである。
【課題を解決するための手段】
【０００７】
上記の課題を解決するため請求項１の発明は、複数のメニューを配置したメニュー画面を表示し、前記メニューの選択を受け付ける情報処理装置の管理方法に適用して、前記情報処理装置は、前記メニュー画面を表示する表示部と、前記メニュー画面で表示可能な前記メニューの画像データを保持する画像データ保持部と、前記メニュー画面で表示するメニューと、前記メニュー画面における前記メニューの配置の順番とを記録したメニュー表示情報を記録する情報記録部と、前記情報記録部に記録したメニュー表示情報、前記画像データ保持部に記録した画像データに基づいて、前記表示部に前記メニュー画面を表示する制御部とを有し、前記情報処理装置の管理方法は、前記メニュー表示情報を作成するメニュー表示情報作成ステップと、前記メニュー表示情報作成ステップで作成した前記メニュー表示情報を、前記情報記録部に記録することにより、少なくとも前記メニュー画面で表示する前記メニューの配置の順番を変更するメニュー表示情報記録ステップとを有する。
【０００８】
また請求項６の発明は、複数のメニューを配置したメニュー画面を表示し、前記メニューの選択を受け付ける情報処理装置の管理方法に適用して、前記情報処理装置は、前記複数のメニューのうちの特定のメニューに、注意を喚起する画像を重ねて、前記メニュー画面を表示する表示部と、前記メニュー画面で表示可能な前記メニューの画像データ、前記注意を喚起する画像の画像データを保持する画像データ保持部と、少なくとも前記注意を喚起する画像を表示するメニューを特定する情報を有するメニュー表示情報を記録する情報記録部と、前記情報記録部に記録したメニュー表示情報、前記画像データ保持部に記録した画像データに基づいて、前記表示部に前記メニュー画面を表示する制御部とを有し、前記情報処理装置の管理方法は、前記メニュー表示情報を作成するメニュー表示情報作成ステップと、前記メニュー表示情報作成ステップで作成した前記メニュー表示情報を、前記情報記録部に記録することにより、前記注意を喚起する画像を表示するメニューを変更するメニュー表示情報記録ステップとを有する。
【０００９】
また請求項１０の発明は、複数のメニューを配置したメニュー画面を表示し、前記メニューの選択を受け付ける情報処理装置の管理方法のプログラムに適用して、前記情報処理装置は、前記メニュー画面を表示する表示部と、前記メニュー画面で表示可能な前記メニューの画像データを保持する画像データ保持部と、前記メニュー画面で表示するメニューと、前記メニュー画面における前記メニューの配置の順番とを記録したメニュー表示情報を記録する情報記録部と、前記情報記録部に記録したメニュー表示情報、前記画像データ保持部に記録した画像データに基づいて、前記表示部に前記メニュー画面を表示する制御部とを有し、前記情報処理装置の管理方法のプログラムは、前記メニュー表示情報を作成するメニュー表示情報作成ステップと、前記メニュー表示情報作成ステップで作成した前記メニュー表示情報を、前記情報記録部に記録することにより、少なくとも前記メニュー画面で表示する前記メニューの配置の順番を変更するメニュー表示情報記録ステップとを有する。
【００１０】
また請求項１１の発明は、複数のメニューを配置したメニュー画面を表示し、前記メニューの選択を受け付ける情報処理装置の管理方法のプログラムに適用して、前記情報処理装置は、前記複数のメニューのうちの特定のメニューに、注意を喚起する画像を重ねて、前記メニュー画面を表示する表示部と、前記メニュー画面で表示可能な前記メニューの画像データ、前記注意を喚起する画像の画像データを保持する画像データ保持部と、少なくとも前記注意を喚起する画像を表示するメニューを特定する情報を有するメニュー表示情報を記録する情報記録部と、前記情報記録部に記録したメニュー表示情報、前記画像データ保持部に記録した画像データに基づいて、前記表示部に前記メニュー画面を表示する制御部とを有し、前記情報処理装置の管理方法のプログラムは、前記メニュー表示情報を作成するメニュー表示情報作成ステップと、前記メニュー表示情報作成ステップで作成した前記メニュー表示情報を、前記情報記録部に記録することにより、前記注意を喚起する画像を表示するメニューを変更するメニュー表示情報記録ステップとを有する。
【００１１】
また請求項１２の発明は、複数のメニューを配置したメニュー画面を表示し、前記メニューの選択を受け付ける情報処理装置の管理方法のプログラムを記録した記録媒体に適用して、前記情報処理装置は、前記メニュー画面を表示する表示部と、前記メニュー画面で表示可能な前記メニューの画像データを保持する画像データ保持部と、前記メニュー画面で表示するメニューと、前記メニュー画面における前記メニューの配置の順番とを記録したメニュー表示情報を記録する情報記録部と、前記情報記録部に記録したメニュー表示情報、前記画像データ保持部に記録した画像データに基づいて、前記表示部に前記メニュー画面を表示する制御部とを有し、前記情報処理装置の管理方法のプログラムは、前記メニュー表示情報を作成するメニュー表示情報作成ステップと、前記メニュー表示情報作成ステップで作成した前記メニュー表示情報を、前記情報記録部に記録することにより、少なくとも前記メニュー画面で表示する前記メニューの配置の順番を変更するメニュー表示情報記録ステップとを有する。
【００１２】
また請求項１３の発明は、複数のメニューを配置したメニュー画面を表示し、前記メニューの選択を受け付ける情報処理装置の管理方法のプログラムを記録した記録媒体に適用して、前記情報処理装置は、前記複数のメニューのうちの特定のメニューに、注意を喚起する画像を重ねて、前記メニュー画面を表示する表示部と、前記メニュー画面で表示可能な前記メニューの画像データ、前記注意を喚起する画像の画像データを保持する画像データ保持部と、少なくとも前記注意を喚起する画像を表示するメニューを特定する情報を有するメニュー表示情報を記録する情報記録部と、前記情報記録部に記録したメニュー表示情報、前記画像データ保持部に記録した画像データに基づいて、前記表示部に前記メニュー画面を表示する制御部とを有し、前記情報処理装置の管理方法のプログラムは、前記メニュー表示情報を作成するメニュー表示情報作成ステップと、前記メニュー表示情報作成ステップで作成した前記メニュー表示情報を、前記情報記録部に記録することにより、前記注意を喚起する画像を表示するメニューを変更するメニュー表示情報記録ステップとを有する。
【００１３】
また請求項１４の発明は、複数のメニューを配置したメニュー画面を表示し、前記メニューの選択を受け付ける情報処理装置に適用して、前記メニュー画面を表示する表示部と、前記メニュー画面で表示可能な前記メニューの画像データを保持する画像データ保持部と、前記メニュー画面で表示するメニューと、前記メニュー画面における前記メニューの配置の順番とを記録したメニュー表示情報を記録する情報記録部と、前記情報記録部に記録したメニュー表示情報、前記画像データ保持部に記録した画像データに基づいて、前記表示部に前記メニュー画面を表示する制御部と、前記メニュー表示情報を作成するメニュー表示情報作成部と、前記メニュー表示情報作成部で作成した前記メニュー表示情報を、前記情報記録部に記録することにより、少なくとも前記メニュー画面で表示する前記メニューの配置の順番を変更するメニュー表示情報記録部とを有する。
【００１４】
また請求項１５の発明は、複数のメニューを配置したメニュー画面を表示し、前記メニューの選択を受け付ける情報処理装置に適用して、前記複数のメニューのうちの特定のメニューに、注意を喚起する画像を重ねて、前記メニュー画面を表示する表示部と、前記メニュー画面で表示可能な前記メニューの画像データ、前記注意を喚起する画像の画像データを保持する画像データ保持部と、少なくとも前記注意を喚起する画像を表示するメニューを特定する情報を有するメニュー表示情報を記録する情報記録部と、前記情報記録部に記録したメニュー表示情報、前記画像データ保持部に記録した画像データに基づいて、前記表示部に前記メニュー画面を表示する制御部と、前記メニュー表示情報を作成するメニュー表示情報作成部と、前記メニュー表示情報作成部で作成した前記メニュー表示情報を、前記情報記録部に記録することにより、前記注意を喚起する画像を表示するメニューを変更するメニュー表示情報記録部とを有する。
【００１５】
また請求項１６の発明は、ホスト装置で端末装置を管理し、前記端末装置で複数のメニューを配置したメニュー画面を表示し、前記メニューの選択を受け付ける情報処理システムに適用して、前記端末装置は、前記メニュー画面を表示する表示部と、前記メニュー画面で表示可能な前記メニューの画像データを保持する画像データ保持部と、前記メニュー画面で表示するメニューと、前記メニュー画面における前記メニューの配置の順番とを記録したメニュー表示情報を記録する情報記録部と、前記情報記録部に記録したメニュー表示情報、前記画像データ保持部に記録した画像データに基づいて、前記表示部に前記メニュー画面を表示する制御部とを有し、前記ホスト装置は、前記メニュー表示情報を作成するメニュー表示情報作成部と、通信手段を介して、前記メニュー表示情報作成部で作成した前記メニュー表示情報を、前記情報記録部に記録することにより、少なくとも前記メニュー画面で表示する前記メニューの配置の順番を変更するメニュー表示情報記録部とを有する。
【００１６】
また請求項１７の発明は、ホスト装置で端末装置を管理し、前記端末装置で複数のメニューを配置したメニュー画面を表示し、前記メニューの選択を受け付ける情報処理システムにおいて、前記端末装置は、前記複数のメニューのうちの特定のメニューに、注意を喚起する画像を重ねて、前記メニュー画面を表示する表示部と、前記メニュー画面で表示可能な前記メニューの画像データ、前記注意を喚起する画像の画像データを保持する画像データ保持部と、少なくとも前記注意を喚起する画像を表示するメニューを特定する情報を有するメニュー表示情報を記録する情報記録部と、前記情報記録部に記録したメニュー表示情報、前記画像データ保持部に記録した画像データに基づいて、前記表示部に前記メニュー画面を表示する制御部とを有し、前記ホスト装置は、前記メニュー表示情報を作成するメニュー表示情報作成部と、通信手段を介して、前記メニュー表示情報作成部で作成した前記メニュー表示情報を、前記情報記録部に記録することにより、前記注意を喚起する画像を表示するメニューを変更するメニュー表示情報記録部とを有する。
【００１７】
請求項１、請求項１０又は請求項１２の構成によれば、メニュー表示情報作成ステップで、所望するメニューの配列でメニュー画面を表示するようにメニュー表示情報を作成し、このメニュー表示情報に基づいて、メニュー画面を表示することができ、これによりこのメニュー表示情報の設定により、メニュー画面で表示するメニューの配列を種々に変更して、メニューの表示に種々の工夫を図ることができる。
【００１８】
また請求項６、請求項１１又は請求項１３の構成によれば、メニュー表示情報作成ステップで、注意を喚起する画像を所望するメニューに表示するようにメニュー表示情報を作成し、このメニュー表示情報に基づいて、メニュー画面を表示することができ、これによりこのメニュー表示情報の設定により、注意を喚起する画像を表示するメニューを種々に変更して、メニューの表示に種々の工夫を図ることができる。
【００１９】
また請求項１４又は請求項１６の構成によれば、メニュー表示情報作成部で、所望するメニューの配列でメニュー画面を表示するようにメニュー表示情報を作成し、このメニュー表示情報に基づいて、メニュー画面を表示することができ、これによりこのメニュー表示情報の設定により、メニュー画面で表示するメニューの配列を種々に変更して、メニューの表示に種々の工夫を図ることができる。
【００２０】
また請求項１５又は請求項１７の構成によれば、メニュー表示情報作成部で、注意を喚起する画像を所望するメニューに表示するようにメニュー表示情報を作成し、このメニュー表示情報に基づいて、メニュー画面を表示することができ、これによりこのメニュー表示情報の設定により、注意を喚起する画像を表示するメニューを種々に変更して、メニューの表示に種々の工夫を図ることができる。
【発明の効果】
【００２１】
本発明によれば、メニューの表示に種々の工夫を図ることができる。
【発明を実施するための最良の形態】
【００２２】
以下、適宜図面を参照しながら本発明の実施例を詳述する。
【実施例１】
【００２３】
（１）実施例の構成
図２は、本発明の実施例１の画像印刷装置を示す斜視図である。この画像印刷装置１は、電子スチルカメラで撮影した写真を印刷する端末装置であり、各店舗に設置されて、メモリカード等に記録された画像データの写真を印刷する。
【００２４】
ここで画像印刷装置１は、全体が縦長の長方形形状に形成され、正面に、印刷結果である写真等を取り出す取り出し口２が設けられる。またこの取り出し口２の上側に、メモリカード、磁気ディスク、光ディスク等の各種記録媒体を装填する記録媒体の挿入口３、課金処理に供するカード投入口等が設けられる。またこの画像印刷装置１は、挿入口３の上側に、タッチパネルを配置した画像表示部４が設けられ、この画像表示部４に表示された各種メニューの選択をタッチパネルで検出してユーザーの操作を受け付ける。
【００２５】
図３は、この画像印刷装置１を示すブロック図である。この画像印刷装置１において、画像表示部４は、制御部１１の制御により、この画像印刷装置１の処理に必要な各種メニューを表示し、タッチパネル１２は、ユーザーのメニューの選択を制御部１１に通知する。メディアインターフェース（メディアＩ／Ｆ）１３は、記録媒体の挿入口３に挿入された各種記録媒体から画像データ等を取得して制御部１１に通知する。またブランクディスクに画像データを記録して取り出し口２に送出する。課金部１４は、課金に係る一連の処理を実行する。印刷部１５は、制御部１１の制御により、用紙に写真を印刷して取り出し口２に送出する。インターフェース（Ｉ／Ｆ）１６は、通信手段であり、インターネット等のネットワーク１７を介してホスト装置１８に接続し、このホスト装置１８との間で種々のデータを送受する。
【００２６】
ハードディスク装置（ＨＤＤ）２０は、この画像印刷装置１のプログラム、プログラムの実行に必要な各種データを記録して保持する。このハードディスク装置２０は、このプログラムの実行に必要なデータの１つに、メニューの表示を設定するメニュー表示リスト２０Ａ、メニューファイル２０Ｂが設けられる。
【００２７】
ここで図４は、この画像印刷装置１のユーザーメニュー画面を示す平面図である。このユーザーメニュー画面は、画像表示部４に表示されるメニュー画面の１つであり、印刷の種類の選択を受け付けるメニュー画面である。このユーザーメニュー画面は、最上段にメニューの選択を指示するメッセージ２１が表示され、続いてそれぞれ印刷の種類を選択するメニュー２２Ａ〜２２Ｌが表示される。ここで印刷の種類を設定するメニュー２２Ａ〜２２Ｌのうちで、最も左端、最上段のメニュー（4 ×8 Photo Cards ）は、いわゆるフォトカードの印刷を指示するメニューである。なおここでフォトカードは、メッセージの書き込み欄を設けた写真であり、例えばクリスマスカードに使用される。また続く右欄には、ポートレート用のパッケージ印刷を指示するメニュー（Portrait Package）、お買い得のパッケージ印刷を指示するメニュー（Value Package ）が順次表示される。なおここでパッケージ印刷は、この画像印刷装置１に事前に設定された複数サイズの組み合わせで記録媒体に記録された画像データの印刷を指示するメニューである。また続く右側に、リボン等による縁取りを施した印刷を指示するメニュー（Border）が表示される。また中段、下段に、同様の印刷の種類を指示するメニューが表示される。またこれらメニュー２２Ａ〜２２Ｌの下に、戻る、ヘルプ等のメニューが表示される。また印刷の種類を選択するメニュー２２Ａ〜２２Ｌの上には、ユーザーの注意を喚起する画像であって、販売促進を図るプロモーション用の画像２３Ａ〜２３Ｃ（（New ）、（Special Price ））が表示される。
【００２８】
メニューファイル２０Ｂは、これら印刷の種類を選択するメニュー２２Ａ〜２２Ｌの画像データファイル、プロモーション用の画像２３Ａ〜２３Ｃの画像データファイルであり、この実施例ではビットマップファイルが適用される。メニューファイル２０Ｂは、ユーザーメニュー画面に表示される可能性のあるメニュー毎に、また各メニューに設定されるプロモーション用の画像毎に、設けられる。
【００２９】
これに対してメニュー表示リスト２０Ａは、メニュー画面におけるメニュー２２Ａ〜２２Ｌ、プロモーション用の画像２３Ａ〜２３Ｃの表示を定義するリストである。具体的に、メニュー表示リスト２０Ａは、ユーザーのメニュー画面で表示するメニュー２２Ａ〜２２Ｌ、これらメニュー２２Ａ〜２２Ｌの表示位置、プロモーション用の画像２３Ａ〜２３Ｃを表示するメニューを特定する情報、メニュー中におけるプロモーション用の画像２３Ａ〜２３Ｃの表示位置情報等により形成される。
【００３０】
すなわちメニュー表示リスト２０Ａは、この図４の例では、上段、左端の表示位置に、フォトカードの印刷を指示するメニュー２２Ａ（4 ×8 Photo Cards ）の画像データファイルが定義される。また続く上段、右側の表示位置に、ポートレート用のパッケージ印刷を指示するメニュー２２Ｂ（Portrait Package）の画像データファイルが定義される。
【００３１】
またメニュー表示リスト２０Ａは、プロモーション用の画像２３Ａ〜２３Ｃを、メニュー２２Ａ、２２Ｃ、２２Ｆ上に表示する旨、各メニューの画像データファイルと対応付けして、プロモーション用の画像２３Ａ〜２３Ｃの画像データファイルが定義される。なおメニュー表示リスト２０Ａは、プロモーション用の画像２３Ａ〜２３Ｃについては、対応するメニューの表示位置において、上下、左右に細かく表示位置を変更できるように、メニュー表示位置における詳細な表示位置が定義される。
【００３２】
メニュー表示リスト２０Ａは、有効／無効を示す情報が設定され、有効の情報が設定されている場合に限って、表示に使用される。またメニュー表示リスト２０Ａは、標準のリストに加えて、表示に使用する期間を区切った期間限定のリストを定義することが可能であり、この期間限定のリストは、期間限定のリストである旨の識別情報と、表示に使用する期間の情報とが設定される。なおこの期間限定のメニュー表示リスト２０Ａは、例えばクリスマスシーズンだけに表示するユーザーメニュー画面を定義するメニュー表示リストである。
【００３３】
制御部１１は、この画像印刷装置１全体の動作を制御する演算処理手段で構成され、ハードディスク装置２０に記録されたプログラムに従って各部の動作を制御する。なおこの実施例において、このプログラムは、この画像印刷装置１に事前にインストールされて提供されるものの、これに代えて光ディスク、磁気ディスク、メモリカード等の記録媒体に記録して提供するようにしてもよく、さらにはインターネット等のネットワークを介したダウンロードにより提供するようにしてもよい。
【００３４】
ここで図１は、この制御部１１の処理手順を示すフローチャートである。制御部１１は、待機状態においてタッチパネル１２の操作が検出されると、この処理手順を開始してステップＳＰ１からステップＳＰ２に移る。ここで制御部１１は、初期メニュー画面を画像表示部４で表示し、この初期メニュー画面を表示した状態で、タッチパネル１２の操作が検出されると、ステップＳＰ３に移る。
【００３５】
このステップＳＰ３において、制御部１１は、ステップＳＰ２で検出されたタッチパネル１２の操作が管理者モードへの動作モードの切り換えを指示する所定の操作か否か判断する。なおここでこの所定の操作は、例えばタッチパネル１２の特定の部位を一定時間以上、継続して押圧し続ける等の操作である。
【００３６】
ここで否定結果が得られると、制御部１１は、ステップＳＰ３からステップＳＰ４に移り、ハードディスク装置２０に記録された有効なメニュー表示リスト２０Ａを検索する。またこの検索したメニュー表示リスト２０Ａから期間限定のメニュー表示リスト２０Ａを検出し、この期間限定のメニュー表示リスト２０Ａに記録された表示に使用する期間を現在日時で判定する。これにより制御部１１は、現在日時が表示に使用する期間に設定された期間限定のメニュー表示リスト２０Ａが存在するか否か判断する。
【００３７】
ここで否定結果が得られると、制御部１１は、ステップＳＰ５に移り、ハードディスク装置２０に記録された標準のメニュー表示リスト２０Ａの記録に従ってメニューファイル２０Ｂを開き、画像表示部４にユーザーメニュー画面を表示する。制御部１１は、このユーザーメニュー画面におけるメニューの選択に応動して、具体的に印刷枚数、印刷対象等の設定を受け付けるメニュー画面を表示し、印刷の設定を受け付ける。
【００３８】
また続くステップＳＰ６において、印刷に要する料金を計算してユーザーに支払いを指示し、課金部１４の動作を制御して課金の処理を実行する。また課金の処理を完了すると、続くステップＳＰ７において、印刷部１５の動作を制御して写真を印刷した後、印刷結果を取り出し口２に搬送する。また続いてステップＳＰ８に移ってこの処理手順を終了し、待機状態に動作を切り換える。
【００３９】
これに対して現在日時が表示に使用する期間に設定された期間限定のメニュー表示リスト２０Ａが存在する場合、制御部１１は、ステップＳＰ４で肯定結果が得られ、ステップＳＰ４からステップＳＰ９に移る。ここで制御部１１は、この現在日時が表示に使用する期間に設定された期間限定のメニュー表示リスト２０Ａの記録に従って、メニューファイル２０Ｂを開き、画像表示部４にユーザーメニュー画面を表示する。制御部１１は、このユーザーメニュー画面におけるメニューの選択に応動して、具体的に印刷枚数、印刷対象等の設定を受け付けるメニュー画面を表示し、印刷の設定を受け付け、ステップＳＰ６に移る。
【００４０】
これに対してステップＳＰ３で肯定結果が得られると、制御部１１は、ステップＳＰ３からステップＳＰ１０に移る。ここで制御部１１は、動作モードを管理者モードに切り換え、画像表示部４の表示を管理者モードの表示に切り換える。またこの管理者モードの表示におけるタッチパネル１２の操作に応動してこの画像印刷装置１の各種設定の変更等を受け付ける。
【００４１】
ここで図５は、この管理者モードの表示を示す平面図である。ここでこの受け付け画面は、タブにより表示を切り換えて設定項目を選択できるように形成される。制御部１１は、オペレータによるタブの選択に応動してこの管理者モードの表示を切り換え、記録媒体の挿入口３に挿入された記録媒体からオペレータの指示したファイルをハードディスク装置２０にアップロードし、メニューファイル２０Ｂを追加、更新する。このメニューファイル２０Ｂの追加、更新により、この画像印刷装置１は、ユーザーメニュー画面に表示するメニューのデザインを種々に変更できるように構成される。
【００４２】
またメニューの表示、非表示の設定を受け付け、ユーザーメニュー画面で表示するメニューの選択を受け付ける。
【００４３】
またユーザーメニュー画面で表示するメニューについて、表示する順番の設定を受け付ける。図５は、このメニューの表示の順番の設定画面であり、この場合、画面の中央より左側に、ユーザーメニュー画面で表示するメニューの一覧が、表示の順番に表示される。なおこの実施例において、この表示の順番は、例えば図５について上述した３×４個のメニュー表示箇所をラスタ走査の順序で走査する順番である。制御部１１は、この一覧表示において、何れかのメニューが選択されると、選択されたメニューを反転表示すると共に、そのメニューの右側に順序の変更を入力するアップ、ダウンのボタンＢＵ、ＢＤを表示する。またこのボタンＢＵ、ＢＤの操作に応動して反転表示したメニューの順序を上側又は下側に移動させる。これにより制御部１１は、メニューの表示の順番の設定を受け付ける。
【００４４】
また画面の中央より右側に、プロモーション用の画像を表示するメニューを設定する設定画面が表示される。ここでこの設定画面は、各プロモーション用の画像毎に、何れのメニューに表示するかを設定できるように形成され、必要に応じてサブメニューを表示して詳細に表示位置を設定できるように形成される。また最も下欄に、プロモーション用の画像データファイルをインポートするボタンが表示される。
【００４５】
制御部１１は、この図５に示す表示によりオペレータがメニューの表示の順番、プロモーション用の画像を表示するメニューを指示すると、対応するメニュー表示リスト２０Ａを作成し、ハードディスク装置２０に記録する。このとき制御部１１は、オペレータの指示に従って、ハードディスク装置２０に記録されている従前のメニュー表示リスト２０Ａを更新し、また期間限定の設定を受け付けてハードディスク装置２０に追加記録する。またこの表示において、オペレータが操作の終了を指示すると、ステップＳＰ１０からステップＳＰ８に移ってこの処理手順を終了し、動作を待機状態に切り換える。
【００４６】
これに対して制御部１１は、インターフェース１６を介してホスト装置１８からの起動が指示されると、待機状態から動作モードを立ち上げ、ホスト装置１８の指示に従ってハードディスク装置２０の内容を更新する。
【００４７】
図６は、このホスト装置１８の構成を示すブロック図である。このホスト装置１８は、各店舗に設置された複数台の画像印刷装置１を管理するコンピュータであり、例えば画像印刷装置１が設置された店舗からの遠隔地である各店舗の本社に設置される。このためホスト装置１８は、インターフェース（Ｉ／Ｆ）３１を介して各地の画像印刷装置１に接続可能に構成される。またリードオンリメモリ（ＲＯＭ）３２の記録に従って、ランダムアクセスメモリ（ＲＡＭ）３３にワークエリアを確保してハードディスク装置（ＨＤＤ）３５に記録された管理用のプログラムを中央処理ユニット３４で実行し、各画像印刷装置１の売り上げ等を集計する。
【００４８】
この実施例においてホスト装置１８は、この管理用のプログラムのアプリケーションの１つに、各画像印刷装置１のメニューファイル２０Ｂ、メニュー表示リスト２０Ａを追加、更新するユーザーメニュー画面の更新プログラムが設けられる。
【００４９】
すなわちこのホスト装置１８において、中央処理ユニット３４は、オペレータがユーザーメニュー画面の更新プログラムを起動すると、モニタ装置３６に現在設定されている画像印刷装置１のユーザーメニュー画面を表示する。なおこの場合、対象となる画像印刷装置１にアクセスしてメニューファイル２０Ｂ、メニュー表示リスト２０Ａを取得してユーザーメニュー画面を表示してもよく、このホスト装置１８の記録に従って表示するようにしてもよい。
【００５０】
続いて中央処理ユニット３４は、図１について上述したと同様に、メニューファイル２０Ｂ、メニュー表示リスト２０Ａの変更を受け付け、ユーザーメニュー画面のプレビュー画面を表示し、オペレータの指示により、更新対象の画像印刷装置１に、変更したメニューファイル２０Ｂ、メニュー表示リスト２０Ａをアップロードする。
【００５１】
（２）実施例の動作
以上の構成において、この画像印刷装置１では（図２及び図３）、画像表示部４にユーザーメニュー画面を表示し（図４）、このユーザーメニュー画面におけるメニュー２２Ａ〜２２Ｌの選択により、印刷の種類が受け付けられる。画像印刷装置１では、この印刷の種類に応じて記録媒体に記録された画像データの写真が印刷され、取り出し口２から排出される。
【００５２】
従って画像印刷装置１では、ユーザーメニュー画面におけるメニュー２２Ａ〜２２Ｌの表示如何によって、特定の種類の印刷が多く利用されたりすることになる。また例えばクリスマスシーズン等では、クリスマスカードに使用する印刷が多く利用されるようになり、これにより時期的な要因によっても、特定の種類の印刷が多く利用されたりすることになる。
【００５３】
そこでこの実施例では、画像印刷装置１における操作により管理者モードに画像印刷装置１が動作モードを切り換え（図５）、ユーザーメニュー画面に表示するメニューの画像データが記録媒体を介して画像印刷装置１にアップロードされ、このアップロードによりユーザーメニュー画面に表示するメニューの画像が更新される（図１）。
【００５４】
またユーザーメニュー画面で表示するメニューの選択が受け付けられ、また表示する順番が受け付けられる。これによりこの画像印刷装置１では、例えばクリスマスシーズンには、クリスマスシーズンで利用の多いメニューを左端、最上段等の最も目立つ場所に表示して、ユーザーの購買意欲を増進することができる。また他の店舗に設置された画像印刷装置との間で差別化を図り、オリジナリティーを持たせることができる。また例えば一定の期間でメニューの画像、メニューの表示順番を変更して、ユーザーに常に新鮮味を与えるようにして、陳腐化を防止することもできる。もちろん特定の販売促進キャンペーン等に対応するように、ユーザーメニュー画面の表示を変更することができ、これらにより種々に表示を工夫することができる。
【００５５】
また画像印刷装置１では、さらにユーザーの注意を喚起するプロモーション用の画像について、何れのメニューに表示するかの設定が受け付けられ、この設定に従ってプロモーション用の画像が特定のメニューに表示される。これによってもこの画像印刷装置１では、種々に表示を工夫して、ユーザーの購買意欲を増進させ、オリジナリティーを持たせることができる。また陳腐化を防止することもでき、特定の販売促進キャンペーン等に対応するように、ユーザーメニュー画面の表示を変更することができる。
【００５６】
この画像印刷装置１では、このようなユーザーメニュー画面におけるメニュー、プロモーション用の画像の表示が、メニュー表示リスト２０Ａで定義される。また画像印刷装置１では、標準のメニュー表示リスト２０Ａに加えて、期間限定のメニュー表示リスト２０Ａを設定することができ、期限限定のメニュー表示リスト２０Ａがハードディスク装置２０に記録されている場合であって、この期限限定のメニュー表示リスト２０Ａに設定されている使用期間に現在日時が含まれている場合には、標準のメニュー表示リスト２０Ａに代えて、この期限限定のメニュー表示リスト２０Ａに基づいてユーザーメニュー画面が表示される。これによりこの画像印刷装置１では、例えばクリスマスシーズンに限ってユーザーメニュー画面を変更する場合に、この期限限定のメニュー表示リスト２０Ａを登録しておくだけで、自動的に、クリスマスシーズンに特別のユーザーメニュー画面を表示することができ、簡易かつ確実にメニューの表示に種々の工夫を図ることができる。
【００５７】
またこの画像印刷装置１では、この画像印刷装置１における管理者モードによる設定に代えて、ホスト装置１８においても、通信手段を介して画像印刷装置１に接続して、メニュー表示リスト２０Ａを同様に記録することができ。従って例えば本社のホスト装置１８で管理する複数台の画像印刷装置１について、これら複数台の画像印刷装置１の全部又は一部におけるユーザーメニュー画面を、ホスト装置１８でまとめて設定することができ、一段と簡易に、これら複数台の画像印刷装置１におけるメニューの表示に種々の工夫を図ることができる。
【００５８】
（３）実施例の効果
以上の構成によれば、メニューの配置を定義する情報及び注意を喚起する画像を表示するメニューを特定する情報を設定可能として、これらを変更可能とすることにより、メニューの表示に種々の工夫を図ることができる。
【００５９】
またこのようなメニューの配置を定義する情報及び又は注意を喚起する画像を表示するメニューを特定する情報を、端末装置である画像印刷装置で設定することにより、各端末装置の操作でメニューの表示に種々の工夫を図ることができる。
【００６０】
またこれに代えて、このようなメニューの配置を定義する情報及び又は注意を喚起する画像を表示するメニューを特定する情報を、ホスト装置で設定することにより、簡易に複数台の端末装置のメニューの表示に種々の工夫を図ることができる。
【実施例２】
【００６１】
なお上述の実施例においては、期間限定のユーザー表示リストに表示に使用する時間情報を設定する場合について述べたが、本発明はこれに限らず、例えばタイムテーブルにユーザー表示リストを記録してスケジュール管理する場合等、期間限定のユーザー表示リストのスケジュール管理にあっては、種々の手法を適用することができる。
【００６２】
また上述の実施例においては、メニュー画面で表示するメニューの情報、メニュー画面におけるメニューの配置の順番の情報、注意を喚起する画像を表示するメニューの情報をリスト形式で保持する場合について述べたが、本発明はこれに限らず、例えばこれらの情報を個別にリスト化して記録する場合等、これらの情報の記録方法は種々の手法を適用することができる。
【００６３】
また上述の実施例においては、注意を喚起する画像としてビットマップファイルによる静止画を表示する場合について述べたが、本発明はこれに限らず、注意を喚起する画像にアニメーション等の動画を適用するようにしてもよい。また注意を喚起する画像にリンクを設定し、音声、動画をさらに提供するようにしてもよい。
【００６４】
また上述の実施例においては、メニューの配置を定義する情報及び注意を喚起する画像を表示するメニューを特定する情報の双方を設定可能としてユーザーメニュー画面を表示する場合について述べたが、本発明はこれに限らず、これらの情報の何れかだけを設定可能としてユーザーメニュー画面を表示するようにしてもよい。
【００６５】
また上述の実施例においては、本発明を画像印刷装置に適用する場合について述べたが、本発明はこれに限らず、種々のメニューを表示してユーザーの操作を受け付ける各種情報処理装置に広く適用することができる。
【産業上の利用可能性】
【００６６】
本発明は、例えば写真を印刷する端末装置に適用することができる。
【図面の簡単な説明】
【００６７】
【図１】本発明の実施例１の画像印刷装置における制御部の処理手順を示すフローチャートである。
【図２】本発明の実施例１の画像印刷装置を示す斜視図である。
【図３】本発明の実施例１の画像印刷装置を示すブロック図である。
【図４】図２の画像印刷装置におけるユーザーメニュー画面を示す平面図である。
【図５】図２の画像印刷装置における管理者モードにおける表示画面を示す平面図である。
【図６】図２の画像印刷装置のホスト装置を示すブロック図である。
【符号の説明】
【００６８】
１……画像印刷装置、４……画像表示部、１１……制御部、１２……タッチパネル、１５……印刷部、１８……ホスト装置、２０……ハードディスク装置、２０Ａ……メニュー表示リスト、２０Ｂ……メニューファイル、２２Ａ〜２２Ｌ……メニュー、２３Ａ〜２３Ｃ……プロモーション用の画像、２４……中央処理ユニット
【図１】
2008015650.tif 000003
【図２】
2008015650.tif 000004
【図３】
2008015650.tif 000005
【図４】
2008015650.tif 000006
【図５】
2008015650.tif 000007
【図６】
2008015650.tif 000008
【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
複数のメニューを配置したメニュー画面を表示し、前記メニューの選択を受け付ける情報処理装置の管理方法において、
前記情報処理装置は、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法は、
前記メニュー表示情報を作成するメニュー表示情報作成ステップと、
前記メニュー表示情報作成ステップで作成した前記メニュー表示情報を、前記情報記録部に記録することにより、少なくとも前記メニュー画面で表示する前記メニューの配置の順番を変更するメニュー表示情報記録ステップとを有する
ことを特徴とする情報処理装置の管理方法。
【請求項２】
前記メニュー画面は、
前記複数のメニューのうちの特定のメニューに、注意を喚起する画像が表示され、
前記メニュー表示情報は、
前記注意を喚起する画像を表示するメニューを特定する情報を有し、
前記画像データ保持部は、
前記注意を喚起する画像の画像データを保持し、
前記制御部は、
前記メニューを特定する情報に基づいて、対応するメニューに前記注意を喚起する画像を重ねて表示し、
前記メニュー表示情報記録ステップは、
前記メニュー表示情報作成ステップで作成したメニュー表示情報を、前記情報記録部に記録することにより、前記注意を喚起する画像を表示するメニューを変更する
ことを特徴とする請求項１に記載の情報処理装置の管理方法。
【請求項３】
前記メニュー表示情報作成ステップが、
遠隔地に設けられたホスト装置における処理であり、
前記メニュー表示情報記録ステップが、
通信手段を介して前記ホスト装置から前記情報処理装置に前記メニュー表示情報作成ステップで作成したメニュー表示情報を転送して実行する処理である
ことを特徴とする請求項１に記載の情報処理装置の管理方法。
【請求項４】
前記メニュー表示情報作成ステップが、
前記情報処理装置に設けられた入力手段を操作して実行される処理である
ことを特徴とする請求項１に記載の情報処理装置の管理方法。
【請求項５】
前記画像データ保持部に、前記注意を喚起する画像の画像データを記録する画像データ記録ステップを有する
ことを特徴とする請求項２に記載の情報処理装置の管理方法。
【請求項６】
複数のメニューを配置したメニュー画面を表示し、前記メニューの選択を受け付ける情報処理装置の管理方法において、
前記情報処理装置は、
前記複数のメニューのうちの特定のメニューに、注意を喚起する画像を重ねて前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法は、
前記メニュー表示情報を作成するメニュー表示情報作成ステップと、
前記メニュー表示情報作成ステップで作成した前記メニュー表示情報を、前記情報記録部に記録することにより、前記注意を喚起する画像を表示するメニューを変更するメニュー表示情報記録ステップとを有する
ことを特徴とする情報処理装置の管理方法。
【請求項７】
前記メニュー表示情報作成ステップが、
遠隔地に設けられたホスト装置における処理であり、
前記メニュー表示情報記録ステップが、
通信手段を介して前記ホスト装置から前記情報処理装置に前記メニュー表示情報作成ステップで作成したメニュー表示情報を転送して実行する処理である
ことを特徴とする請求項６に記載の情報処理装置の管理方法。
【請求項８】
前記メニュー表示情報作成ステップが、
前記情報処理装置に設けられた入力手段を操作して実行される処理である
ことを特徴とする請求項６に記載の情報処理装置の管理方法。
【請求項９】
前記画像データ保持部に、
前記注意を喚起する画像の画像データを記録する画像データ記録ステップを有する
ことを特徴とする請求項５に記載の情報処理装置の管理方法。
【請求項１０】
複数のメニューを配置したメニュー画面を表示し、前記メニューの選択を受け付ける情報処理装置の管理方法のプログラムにおいて、
前記情報処理装置は、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法のプログラムは、
前記メニュー表示情報を作成するメニュー表示情報作成ステップと、
前記メニュー表示情報作成ステップで作成した前記メニュー表示情報を、前記情報記録部に記録することにより、少なくとも前記メニュー画面で表示する前記メニューの配置の順番を設定するメニュー表示情報記録ステップとを有する
ことを特徴とする情報処理装置の管理方法のプログラム。
【請求項１１】
複数のメニューを配置したメニュー画面を表示し、前記メニューの選択を受け付ける情報処理装置の管理方法のプログラムにおいて、
前記情報処理装置は、
前記複数のメニューのうちの特定のメニューに、注意を喚起する画像を重ねて前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法のプログラムは、
前記メニュー表示情報を作成するメニュー表示情報作成ステップと、
前記メニュー表示情報作成ステップで作成した前記メニュー表示情報を、前記情報記録部に記録することにより、前記注意を喚起する画像を表示するメニューを変更するメニュー表示情報記録ステップとを有する
ことを特徴とする情報処理装置の管理方法のプログラム。
【請求項１２】
複数のメニューを配置したメニュー画面を表示し、前記メニューの選択を受け付ける情報処理装置の管理方法のプログラムを記録した記録媒体において、
前記情報処理装置は、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法のプログラムは、
前記メニュー表示情報を作成するメニュー表示情報作成ステップと、
前記メニュー表示情報作成ステップで作成した前記メニュー表示情報を、前記情報記録部に記録することにより、少なくとも前記メニュー画面で表示する前記メニューの配置の順番を変更するメニュー表示情報記録ステップとを有する
ことを特徴とする情報処理装置の管理方法のプログラムを記録した記録媒体。
【請求項１３】
複数のメニューを配置したメニュー画面を表示し、前記メニューの選択を受け付ける情報処理装置の管理方法のプログラムを記録した記録媒体において、
前記情報処理装置は、
前記複数のメニューのうちの特定のメニューに、注意を喚起する画像を重ねて、前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記情報処理装置の管理方法のプログラムは、
前記メニュー表示情報を作成するメニュー表示情報作成ステップと、
前記メニュー表示情報作成ステップで作成した前記メニュー表示情報を、前記情報記録部に記録することにより、前記注意を喚起する画像を表示するメニューを変更するメニュー表示情報記録ステップとを有する
ことを特徴とする情報処理装置の管理方法のプログラムを記録した記録媒体。
【請求項１４】
複数のメニューを配置したメニュー画面を表示し、前記メニューの選択を受け付ける情報処理装置において、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部と、
前記メニュー表示情報を作成するメニュー表示情報作成部と、
前記メニュー表示情報作成部で作成した前記メニュー表示情報を、前記情報記録部に記録することにより、少なくとも前記メニュー画面で表示する前記メニューの配置の順番を変更するメニュー表示情報記録部とを有する
ことを特徴とする情報処理装置。
【請求項１５】
複数のメニューを配置したメニュー画面を表示し、前記メニューの選択を受け付ける情報処理装置において、
前記複数のメニューのうちの特定のメニューに、注意を喚起する画像を重ねて、前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部と、
前記メニュー表示情報を作成するメニュー表示情報作成部と、
前記メニュー表示情報作成部で作成した前記メニュー表示情報を、前記情報記録部に記録することにより、前記注意を喚起する画像を表示するメニューを変更するメニュー表示情報記録部とを有する
ことを特徴とする情報処理装置。
【請求項１６】
ホスト装置で端末装置を管理し、前記端末装置で複数のメニューを配置したメニュー画面を表示し、前記メニューの選択を受け付ける情報処理システムにおいて、
前記端末装置は、
前記メニュー画面を表示する表示部と、
前記メニュー画面で表示可能な前記メニューの画像データを保持する画像データ保持部と、
前記メニュー画面で表示するメニューと、前記メニュー画面における前記メニューの配置の順番とを記録したメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記ホスト装置は、
前記メニュー表示情報を作成するメニュー表示情報作成部と、
通信手段を介して、前記メニュー表示情報作成部で作成した前記メニュー表示情報を、前記端末装置の前記情報記録部に記録することにより、少なくとも前記メニュー画面で表示する前記メニューの配置の順番を変更するメニュー表示情報記録部とを有する
ことを特徴とする情報処理システム。
【請求項１７】
ホスト装置で端末装置を管理し、前記端末装置で複数のメニューを配置したメニュー画
面を表示し、前記メニューの選択を受け付ける情報処理システムにおいて、
前記端末装置は、
前記複数のメニューのうちの特定のメニューに、注意を喚起する画像を重ねて前記メニュー画面を表示する表示部と、
前記メニュー画面で表示可能な前記メニューの画像データ、前記注意を喚起する画像の画像データを保持する画像データ保持部と、
少なくとも前記注意を喚起する画像を表示するメニューを特定する情報を有するメニュー表示情報を記録する情報記録部と、
前記情報記録部に記録したメニュー表示情報、前記画像データ保持部に記録した画像データに基づいて、前記表示部に前記メニュー画面を表示する制御部とを有し、
前記ホスト装置は、
前記メニュー表示情報を作成するメニュー表示情報作成部と、
通信手段を介して、前記メニュー表示情報作成部で作成した前記メニュー表示情報を、前記情報記録部に記録することにより、前記注意を喚起する画像を表示するメニューを変更するメニュー表示情報記録部とを有する
ことを特徴とする情報処理システム。